(57)【特許請求の範囲】
【請求項１】
互いに種類の異なる第１および第２の入力装置から遠隔操作可能な録画再生装置であって、
各種情報を提示するための表示装置と、
各種情報を送受信するための通信装置と、
前記第１および第２の入力装置が混在する複数の入力装置からの操作を排他制御する操作排他制御手段とを具備し、
前記操作排他制御手段は、他の入力装置からの操作を処理中に前記第１の入力装置からの操作を受けたときに、他の入力装置からの操作を処理中であるためにその操作を受け付けることができない旨を前記表示装置により報知し、他の入力装置からの操作を処理中に前記第２の入力装置からの操作を受けたときに、他の入力装置からの操作を処理中であるためにその操作を受け付けることができない旨を報知するための情報を前記通信装置により当該第２の入力装置に返送する手段を有することを特徴とする録画再生装置。
【請求項２】
互いに種類の異なる第１および第２の入力装置から遠隔操作可能な録画再生装置であって、
各種情報を提示するための表示装置と、
各種情報を送受信するための通信装置と、
前記第１および第２の入力装置が混在する複数の入力装置からの操作を排他制御する操作排他制御手段とを具備し、
前記操作排他制御手段は、いずれかの入力装置からの操作を処理するときに、それ以外の入力装置の中の前記第１の入力装置に対しては、他の入力装置からの操作を処理中である旨を前記表示装置により報知し、前記第２の入力装置に対しては、他の入力装置からの操作を処理中である旨を報知するための情報を前記通信装置により送信する手段を有することを特徴とする録画再生装置。
【請求項３】
前記操作排他制御手段は、前記第１および第２の入力装置の優先度を設定する手段と、いずれかの入力装置からの操作を処理中にその入力装置よりも優先度の高い他の入力装置からの操作を受けたときに、前記優先度の低い入力装置からの操作に関する処理を中断して前記優先度の高い入力装置からの操作に関する処理を開始する手段と、前記優先度の低い入力装置に対して、他の入力装置からの操作が割り込まれた旨を前記表示装置により報知し、または、他の入力装置からの操作が割り込まれた旨を報知するための情報を前記通信装置により送信する手段とを有することを特徴とする請求項１または２記載の録画再生装置。
【請求項４】
複数のチャンネルの中からいずれか１つのチャンネルを選択して所望の画像を受信するための１つのチューナと、
前記チューナにより受信された画像の画像データを格納する、複数のデータ入出力を並列に処理可能な磁気ディスク装置と
を具備し、
前記操作排他制御手段は、前記１つのチューナを利用する処理に関する操作同士のみを排他制御することを特徴とする請求項１記載の録画再生装置。
【請求項５】
互いに種類の異なる第１および第２の入力装置から遠隔操作可能な録画再生装置であって、
複数のチャンネルの中からいずれか１つのチャンネルを選択して所望の画像を受信するための１つのチューナと、
前記チューナにより受信された画像の画像データを格納する、複数のデータ入出力を並列に処理可能な磁気ディスク装置と、
前記第１および第２の入力装置が混在する複数の入力装置からの前記１つのチューナを利用する処理に関する操作同士のみを排他制御する操作排他制御手段と
を具備することを特徴とする録画再生装置。
【請求項６】
各種情報を提示するための表示装置と、各種情報を送受信するための通信装置とを有し、互いに種類の異なる第１および第２の入力装置から遠隔操作可能な録画再生装置の操作排他制御方法であって、
他の入力装置からの操作を処理中に前記第１の入力装置からの操作を受けたときに、他の入力装置からの操作を処理中であるためにその操作を受け付けることができない旨を前記表示装置により報知し、他の入力装置からの操作を処理中に前記第２の入力装置からの操作を受けたときに、他の入力装置からの操作を処理中であるためにその操作を受け付けることができない旨を報知するための情報を前記通信装置により当該第２の入力装置に返送することを特徴とする録画再生装置の操作排他制御方法。
【請求項７】
各種情報を提示するための表示装置と、各種情報を送受信するための通信装置とを有し、互いに種類の異なる第１および第２の入力装置から遠隔操作可能な録画再生装置の操作排他制御方法であって、
前記第１の入力装置からの操作を処理するときに、それ以外の入力装置の中の前記第１の入力装置に対しては、他の入力装置からの操作を処理中である旨を前記表示装置により報知し、前記第２の入力装置に対しては、他の入力装置からの操作を処理中である旨を報知するための情報を前記通信装置により送信することを特徴とする録画再生装置の操作排他制御方法。
【請求項８】
前記第１および第２の入力装置の優先度を設定し、いずれかの入力装置からの操作を処理中にその入力装置よりも優先度の高い他の入力装置からの操作を受けたときに、前記優先度の低い入力装置からの操作に関する処理を中断して前記優先度の高い入力装置からの操作に関する処理を開始し、前記優先度の低い入力装置に対して、他の入力装置からの操作が割り込まれた旨を前記表示装置により報知し、または、他の入力装置からの操作が割り込まれた旨を報知するための情報を前記通信装置により送信することを特徴とする請求項６または７記載の録画再生装置の操作排他制御方法。
【請求項９】
前記録画再生装置は、複数のチャンネルの中からいずれか１つのチャンネルを選択して所望の画像を受信するための１つのチューナと、前記チューナにより受信された画像の画像データを格納する、複数のデータ入出力を並列に処理可能な磁気ディスク装置とを備え、
前記１つのチューナを利用する処理に関する操作同士のみを排他制御することを特徴とする請求項６記載の録画再生装置の操作排他制御方法。
【請求項１０】
複数のチャンネルの中からいずれか１つのチャンネルを選択して所望の画像を受信するための１つのチューナと、前記チューナにより受信された画像の画像データを格納する、複数のデータ入出力を並列に処理可能な磁気ディスク装置とを備え、互いに種類の異なる第１および第２の入力装置から遠隔操作可能な録画再生装置の操作排他制御方法であって、
前記第１および第２の入力装置が混在する複数の入力装置からの操作であって前記１つのチューナを利用する処理に関する操作同士のみを排他制御することを特徴とする録画再生装置の操作排他制御方法。
【発明の詳細な説明】
【０００１】
【発明の属する技術分野】
この発明は、たとえば赤外線信号の送出により遠隔操作を行うリモートコントローラと、ネットワークを介したデータ通信により遠隔操作を行うコンピュータとの２種類の入力装置からの操作を受け付ける録画再生装置および操作排他制御方法に係り、特に、互いに種類の異なる入力装置が混在する複数の入力装置からの操作を適切に排他制御する録画再生装置および操作排他制御方法に関する。
【０００２】
【従来の技術】
近年、パーソナルコンピュータなどに搭載されるＣＰＵの処理能力は飛躍的に向上している。そして、これに伴い、テレビジョン放送を受信し、その画像を圧縮符号化して磁気ディスク装置などに記録するとともに、この圧縮符号化された画像を伸長復号化してモニタなどに出力するといった、非常に高度な画像処理を実行するいわゆるデジタル録画再生装置も開発されるに至っている。
【０００３】
このデジタル録画再生装置では、従来の録画再生装置のようにテープの交換などといった煩わしい作業が不要であるため、家族などの複数の利用者が、当該デジタル録画再生装置を快適に共用することが可能である。
【０００４】
また、最近では、無線ＬＡＮなど、家庭内でも簡単にネットワークを敷設することのできる技術が普及し始めているため、このデジタル録画再生装置を含む各種情報機器の多くは、このネットワーク経由のデータ通信によって操作入力を受け付ける仕組みを備えている。
【０００５】
この仕組みを備えることにより、たとえばデジタル録画再生装置が設置された室内ではリモートコントローラを用いて遠隔操作を行い、それ以外の部屋からはパーソナルコンピュータを用いて遠隔操作を行うといった、状況に応じた様々な活用法を利用者に提供することを可能としている。
【０００６】
【発明が解決しようとする課題】
ところで、このデジタル録画再生装置がリモートコントローラとネットワーク経由で接続されるパーソナルコンピュータとの遠隔操作を受け付ける場合、これらの排他制御を適切に行うことが重要である。そして、最適なユーザインタフェースを提供するためには、この排他制御の結果として生ずる操作の受け付け可否などを状況に応じて各々適切な方法で報知することが好ましい。
【０００７】
しかしながら、従来では、リモートコントローラおよびネットワーク経由で接続されるパーソナルコンピュータといった複数種の入力装置から遠隔操作されることを前提としてはいないため、リモートコントローラおよびパーソナルコンピュータの各利用者に対して、それぞれに適した方法で報知を行うなどといったことはまったく考慮されていなかった。
【０００８】
この発明は、このような事情を考慮してなされたものであり、互いに種類の異なる入力装置が混在する複数の入力装置からの操作を適切に排他制御する録画再生装置および操作排他制御方法に関する。
【０００９】
【課題を解決するための手段】
前述した目的を達成するために、この発明は、互いに種類の異なる第１および第２の入力装置から遠隔操作可能な録画再生装置であって、各種情報を提示するための表示装置と、各種情報を送受信するための通信装置と、前記第１および第２の入力装置が混在する複数の入力装置からの操作を排他制御する操作排他制御手段とを具備し、前記操作排他制御手段は、他の入力装置からの操作を処理中に前記第１の入力装置からの操作を受けたときに、他の入力装置からの操作を処理中であるためにその操作を受け付けることができない旨を前記表示装置により報知し、他の入力装置からの操作を処理中に前記第２の入力装置からの操作を受けたときに、他の入力装置からの操作を処理中であるためにその操作を受け付けることができない旨を報知するための情報を前記通信装置により当該第２の入力装置に返送する手段を有することを特徴とする。
【００１０】
この発明の録画再生装置においては、たとえばリモートコントローラおよびパーソナルコンピュータからの操作を排他制御する場合に、リモートコントローラの利用者に操作受付不可を報知する時には、自装置のディスプレイにその旨を表示し、パーソナルコンピュータの利用者に操作受付不可を報知する時には、その旨をパーソナルコンピュータにディスプレイ表示させるためのデータを送信するなど、それぞれの利用者に応じて各々適切な報知を行うことが可能となる。
【００１１】
【発明の実施の形態】
以下、図面を参照してこの発明の実施形態を説明する。
（第１実施形態）
まず、この発明の第１実施形態について説明する。
図１は、第１実施形態に係る録画再生装置の接続形態を示す図である。
図１に示すように、この録画再生装置１は、放送局２から送信される画像を受信して記録するとともに、この記録した画像をテレビジョン装置などのモニタ３に表示するものであり、リモートコントローラ４によって遠隔操作ができるようになっている。また、この録画再生装置１は、ネットワーク５を介して接続されるコンピュータ６からも遠隔操作が行えるようになっている。なお、この録画再生装置１とコンピュータ６とを接続するネットワーク５は、有線および無線のいずれで構成しても構わない。
【００１２】
リモートコントローラ４の利用者は、録画再生装置１が設置された室内で録画予約を行い、または録画された画像を観賞する者であり、このリモートコントローラ４から画像の観賞を指示されると、録画再生装置１は、録画時に圧縮符号化した画像を伸長復号化してモニタ３に表示する。一方、コンピュータ６の利用者は、録画再生装置１が設置された部屋とは異なる別室で録画予約を行い、または録画された画像を観賞する者であり、このコンピュータ６から画像の観賞を指示されると、録画再生装置１は、録画時に圧縮符号化した画像をそのままの状態でネットワーク５経由でコンピュータ６に送信する。そして、この圧縮符号化された画像は、受信側のコンピュータ６で伸長復号化され、ディスプレイに表示されることになる。
【００１３】
図２は、この第１実施形態の録画再生装置１の機器構成を示す図である。
図２に示すように、この録画再生装置１は、ＣＰＵ１１、メモリ１２、磁気ディスク装置１３、画像圧縮装置１４、チューナ１５、アンテナ１６、画像伸長装置１７、表示装置１８、受光部１９およびネットワークインタフェース２０を有している。
【００１４】
ＣＰＵ１１は、この録画再生装置１全体の制御を司り、メモリ１２に格納されたプログラムの記述にしたがって各部を動作させる。メモリ１２は、この録画再生装置１の主記憶となるメモリデバイスであり、ＣＰＵ１１の動作手順を記述したプログラムやこのプログラムに用いられるデータなどを格納する。このメモリ１２には、この録画再生装置１が誰からの操作を処理中であるのかを示す使用者データａが格納される。一方、磁気ディスク装置１３は、この録画再生装置１の外部記憶となるメモリデバイスであり、メモリ１２の下位記憶媒体として各種プログラムおよび各種データなどを大量に格納する。
【００１５】
画像圧縮装置１４は、チューナ１５がアンテナ１６を介して受信した放送局２からの画像を圧縮符号化するエンコーダであり、この画像圧縮装置１４により圧縮符号化された画像データは、磁気ディスク装置１３に格納される。一方、画像伸長装置１７は、磁気ディスク装置１３に格納された、圧縮符号化された画像データを伸長復号化するデコーダであり、この画像伸長装置１７により伸長復号化された画像データは、モニタ３に向けて外部出力される。
【００１６】
表示装置１８は、この録画再生装置１におけるユーザインタフェースのアウトプットを司るデバイスであり、たとえば動作状況などの各種情報を利用者に提示するための表示を行う。一方、受光部１９は、この録画再生装置１におけるユーザインタフェースのインプットを司るデバイスであり、リモートコントローラ４から送出される操作指示用の赤外線信号を受信する。
【００１７】
また、ネットワークインターフェース２０は、ネットワーク５経由でコンピュータ６との間で行われるデータ授受を制御するものであり、このデータ授受によってコンピュータ６からの操作指示を入力するとともに、磁気ディスク装置１３に格納された、圧縮符号化された画像データをコンピュータ６に出力する。
【００１８】
次に、このような構成をもつ第１実施形態の録画再生装置１が実行する、リモートコントローラ４からの操作とネットワーク５経由のコンピュータ６からの操作との排他制御について説明する。
【００１９】
図３は、第１実施形態の録画再生装置における操作排他制御の動作手順を示すフローチャートである。
【００２０】
ＣＰＵ１１は、操作指示の受信があると（ステップＡ１のＹＥＳ）、メモリ１２に格納された使用者データａを参照して、他の使用者からの操作指示を処理中かどうかを調べる（ステップＡ２，ステップＡ３）。ここで、他の使用者からの操作指示を処理中であれば（ステップＡ３のＹＥＳ）、ＣＰＵ１１は、この新たに受信した操作指示がリモートコントローラ４およびコンピュータ６のいずれからのものであったかを調べる（ステップＡ４）。
【００２１】
そして、リモートコントローラ４からのものであった場合（ステップＡ４のＹＥＳ）、ＣＰＵ１１は、他の使用者からの操作指示を処理中である旨を表示装置１８に表示する（ステップＡ５）。一方、コンピュータ６からのものであった場合（ステップＡ４のＮＯ）、ＣＰＵ１１は、他の使用者からの操作指示を処理中である旨をディスプレイ表示させるためのデータをネットワークインタフェース２０を介して返送する（ステップＡ６）。
【００２２】
また、使用者データａを参照した結果、他の使用者からの操作指示を処理中ではなかった場合（ステップＡ３のＮＯ）、ＣＰＵ１１は、この操作指示の送信元が当該録画再生装置１を使用中であることを示すようにメモリ１２に格納された使用者データａを更新し（ステップＡ７）、その後、その操作指示された処理を実行する（ステップＡ８）。そして、この処理が終了すると、ＣＰＵ１１は、当該録画再生装置１が未使用であることを示すようにメモリ１２に格納された使用者データａを更新する（ステップＡ９）。
【００２３】
このように、この第１実施形態の録画再生装置１では、リモートコントローラ４からの操作とネットワーク５経由のコンピュータ６からの操作とを排他制御する際に、リモートコントローラ４からの操作を拒絶する場合には、その理由を自装置の表示装置１８によって報知し、一方、コンピュータ６からの操作を拒絶する場合には、その理由をネットワーク経由で返送するといった、それぞれの利用者に応じた適切なユーザインタフェースを提供する。また、たとえばコンピュータ６からの操作を拒絶する場合には、その理由が自装置の表示装置１８に示されることがないため、リモートコントローラ４の利用者に対して余計な報知を行ってしまうようなことも防止する。
【００２４】
（第２実施形態）
次に、この発明の第２実施形態について説明する。
前述した第１実施形態の情報処理装置とこの第２実施形態の情報処理装置とのの違いは、この第２実施形態では、いずれかの操作指示を処理する際、その旨をそれ以外の利用者に報知する点にある。つまり、第１実施形態では、いずれかの操作指示を処理中に他の操作指示を受けたときに、その操作指示を受け入れられない旨を報知するようにしていたが、この第２実施形態では、他の操作指示を受けたかどうかに関わらずに、いずれかの操作指示を受けた時点で、それ以外の利用者にその旨を能動的に報知する。図４は、第２実施形態の録画再生装置における操作排他制御の動作手順を示すフローチャートである。
【００２５】
ＣＰＵ１１は、操作指示の受信があると（ステップＢ１のＹＥＳ）、メモリ１２に格納された使用者データａを参照して、他の使用者からの操作指示を処理中かどうかを調べる（ステップＢ２，ステップＢ３）。ここで、他の使用者からの操作指示を処理中であれば（ステップＢ３のＹＥＳ）、ＣＰＵ１１は、この新たに受信した操作指示がリモートコントローラ４およびコンピュータ６のいずれからのものであったかを調べる（ステップＢ４）。
【００２６】
そして、リモートコントローラ４からのものであった場合（ステップＢ４のＹＥＳ）、ＣＰＵ１１は、他の使用者からの操作指示を処理中である旨を表示装置１８に表示する（ステップＢ５）。一方、コンピュータ６からのものであった場合（ステップＢ４のＮＯ）、ＣＰＵ１１は、他の使用者からの操作指示を処理中である旨をディスプレイ表示させるためのデータをネットワークインタフェース２０を介して返送する（ステップＢ６）。
【００２７】
また、使用者データａを参照した結果、他の使用者からの操作指示を処理中ではなかった場合（ステップＢ３のＮＯ）、ＣＰＵ１１は、この操作指示の送信元が当該録画再生装置１を使用中であることを示すようにメモリ１２に格納された使用者データａを更新し（ステップＢ７）、この操作指示の送信元がリモートコントローラ４なかった場合には（ステップＢ８のＮＯ）、他の使用者からの操作指示を処理中である旨を表示装置１８に表示する（ステップＢ９）。また、これとともに、ＣＰＵ１１は、使用者からの操作指示を処理中である旨をディスプレイ表示させるためのデータをネットワークインタフェース２０を介して送信元以外のすべてのコンピュータ６に送信する（ステップＢ１０）。その後、ＣＰＵ１１は、その操作指示された処理を実行する（ステップＢ１１）。そして、この処理が終了すると、ＣＰＵ１１は、当該録画再生装置１が未使用であることを示すようにメモリ１２に格納された使用者データａを更新する（ステップＢ１２）。
【００２８】
このように、この第２実施形態の録画再生装置１では、さらに、他の操作を処理中であることをそれぞれの利用者に応じた適切な手法で能動的に報知することを実行する。
【００２９】
（第３実施形態）
次に、この発明の第３実施形態について説明する。
前述した第１実施形態の情報処理装置とこの第３実施形態の情報処理装置とのの違いは、この第３実施形態では、各入力装置（リモートコントローラ４およびコンピュータ６）の優先度を予め設定できるようにし、この優先度を考慮した排他制御を実行し、かつ、その排他制御の結果の報知をそれぞれの利用者に応じた適切な手法で実行する点にある。この優先度の設定は、ＣＰＵ１１が、リモートコントローラ４またはコンピュータ６からの指示により行い、その内容は、メモリ１２または磁気ディスク装置１３に格納される。図５は、第３実施形態の録画再生装置における操作排他制御の動作手順を示すフローチャートである。
【００３０】
ＣＰＵ１１は、操作指示の受信があると（ステップＣ１のＹＥＳ）、メモリ１２に格納された使用者データａを参照して、他の使用者からの操作指示を処理中かどうかを調べる（ステップＣ２，ステップＣ３）。ここで、他の使用者からの操作指示を処理中であれば（ステップＣ３のＹＥＳ）、ＣＰＵ１１は、この新たに受信した操作指示の送信元の優先度と他の使用者の優先度とを比較する（ステップＣ４）。そして、他の使用者の優先度の方が高かった場合（ステップＣ４のＮＯ）、ＣＰＵ１１は、この新たに受信した操作指示がリモートコントローラ４およびコンピュータ６のいずれからのものであったかを調べ（ステップＣ５）、リモートコントローラ４からのものであれば（ステップＣ５のＹＥＳ）、他の使用者からの操作指示を処理中である旨を表示装置１８に表示する（ステップＣ６）。また、コンピュータ６からのものであれば（ステップＣ５のＮＯ）、ＣＰＵ１１は、他の使用者からの操作指示を処理中である旨をディスプレイ表示させるためのデータをネットワークインタフェース２０を介して返送する（ステップＣ７）。
【００３１】
一方、新たに受信した操作指示の送信元の優先度の方が高かった場合（ステップＣ４のＹＥＳ）、ＣＰＵ１１は、他の使用者がリモートコントローラ４およびコンピュータ６のいずれであるのかを調べる（ステップＣ８）。そして、ＣＰＵ１１は、他の使用者がリモートコントローラ４であれば（ステップＣ８のＹＥＳ）、割り込みが発生した旨を表示装置１８に表示し（ステップＣ９）、コンピュータ６であれば（ステップＣ８のＮＯ）、割り込みが発生した旨をディスプレイ表示させるためのデータをネットワークインタフェース２０を介して送信する（ステップＣ１０）。
【００３２】
その後、または、使用者データａを参照した結果、他の使用者からの操作指示を処理中ではなかった場合（ステップＣ３のＮＯ）、ＣＰＵ１１は、この操作指示の送信元が当該録画再生装置１を使用中であることを示すようにメモリ１２に格納された使用者データａを更新し（ステップＣ１１）、その操作指示された処理を実行する（ステップＣ１２）。そして、この処理が終了すると、ＣＰＵ１１は、当該録画再生装置１が未使用であることを示すようにメモリ１２に格納された使用者データａを更新する（ステップＣ１３）。
【００３３】
このように、この第３実施形態の録画再生装置１では、さらに、各入力装置の優先度を考慮した排他制御を実行し、かつ、この割り込みを含む排他制御の結果の報知をそれぞれの利用者に応じた適切な手法で実行する。
【００３４】
（第４実施形態）
次に、この発明の第４実施形態について説明する。
前述した第１実施形態の情報処理装置とこの第４実施形態の情報処理装置とのの違いは、この第４実施形態では、すべての操作を排他制御するのではなく、排他制御すべき操作をより詳細に考慮するようにした点にある。つまり、第１実施形態では、その内容を問うことなく、ある操作を処理中には、他の操作を一律に拒否していたが、この第４実施形態では、双方の操作内容に応じて、排他制御すべきかどうかを決定する。
【００３５】
たとえばある利用者が磁気ディスク装置１３に格納された画像データを観賞しているときに、その他の利用者が同じく磁気ディスク装置１３に格納された画像データを観賞しようとした場合、これらを並列に処理することは何ら問題はないため、これらの操作は双方ともに受け入れるべきである。また、ある利用者がチューナ１５を介して受信した画像データを磁気ディスク装置１３に格納しているときに、その他の利用者が磁気ディスク装置１３に格納された画像データを観賞しようとした場合や、その逆に、ある利用者が磁気ディスク装置１３に格納された画像データを観賞しているときに、その他の利用者がチューナ１５を介して受信した画像データを磁気ディスク装置１３に格納しようとした場合も、これらを並列に処理することは何ら問題はないため、これらの操作は双方ともに受け入れるべきである。
【００３６】
一方、ある利用者がチューナ１５を介して受信した画像データを磁気ディスク装置１３に格納しているときに、その他の利用者が同じくチューナ１５を介して受信した画像データを磁気ディスク装置１３に格納しようとした場合には、チューナ１５の利用が競合するため、これらを並列に処理することは無理であり、これらの操作は排他制御すべきである。
【００３７】
そこで、この第４実施形態では、チューナ１５を利用する処理に関する操作同士のみを排他制御し、それ以外の組み合わせについては同時に受け付けられるようにする。図６は、第４実施形態の録画再生装置における操作排他制御の動作手順を示すフローチャートである。
【００３８】
ＣＰＵ１１は、操作指示の受信があると（ステップＤ１のＹＥＳ）、メモリ１２に格納された使用者データａを参照して、他の使用者からの操作指示を処理中かどうかを調べる（ステップＤ２，ステップＤ３）。ここで、他の使用者からの操作指示を処理中であれば（ステップＤ３のＹＥＳ）、ＣＰＵ１１は、まず、他の使用者の処理がチューナ１５を利用するものであるかどうかを調べる（ステップＤ４）。チューナ１５が利用されていれば（ステップＤ４のＹＥＳ）、ＣＰＵ１１は、今度は新たに受信した操作指示の処理がチューナ１５を利用するものであるかどうかを調べる（ステップＤ５）。
【００３９】
やはりチューナ１５を利用するものであれば（ステップＤ５のＹＥＳ）、ＣＰＵ１１は、この新たに受信した操作指示がリモートコントローラ４およびコンピュータ６のいずれからのものであったかを調べ（ステップＤ６）、リモートコントローラ４からのものであれば（ステップＤ６のＹＥＳ）、他の使用者からの操作指示を処理中である旨を表示装置１８に表示する（ステップＤ７）。また、コンピュータ６からのものであれば（ステップＤ６のＮＯ）、ＣＰＵ１１は、他の使用者からの操作指示を処理中である旨をディスプレイ表示させるためのデータをネットワークインタフェース２０を介して返送する（ステップＤ８）。
【００４０】
一方、他の使用者の処理および新たに受信した操作指示の処理のいずれかがチューナ１５を利用するものでなかった場合（ステップＤ４のＮＯ，ステップＤ５のＮＯ）、あるいは、使用者データａを参照した結果、他の使用者からの操作指示を処理中ではなかった場合（ステップＤ３のＮＯ）、ＣＰＵ１１は、この操作指示の送信元が当該録画再生装置１を使用中であることを示すようにメモリ１２に格納された使用者データａを更新し（ステップＤ９）、その後、その操作指示された処理を実行する（ステップＤ１０）。そして、この処理が終了すると、ＣＰＵ１１は、当該録画再生装置１が未使用であることを示すようにメモリ１２に格納された使用者データａを更新する（ステップＤ１１）。
【００４１】
このように、この第４実施形態の録画再生装置１では、さらに、各入力装置の操作内容を考慮したよりきめ細かな排他制御を実行する。
【００４２】
なお、本願発明は、前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。たとえば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００４３】
【発明の効果】
以上のように、この発明によれば、たとえばリモートコントローラおよびパーソナルコンピュータからの操作を排他制御する場合に、リモートコントローラの利用者に操作入力不可を報知する時には、自装置のディスプレイにその旨を表示し、パーソナルコンピュータの利用者に操作入力不可を報知する時には、その旨をパーソナルコンピュータにディスプレイ表示させるためのデータを送信するなど、それぞれの利用者に応じて適切な報知を行うことが可能となる。
【図面の簡単な説明】
【図１】この発明の第１実施形態に係る録画再生装置の接続形態を示す図。
【図２】同第１実施形態の録画再生装置の機器構成を示す図。
【図３】同第１実施形態の録画再生装置における操作排他制御の動作手順を示すフローチャート。
【図４】同第２実施形態の録画再生装置における操作排他制御の動作手順を示すフローチャート。
【図５】同第３実施形態の録画再生装置における操作排他制御の動作手順を示すフローチャート。
【図６】同第４実施形態の録画再生装置における操作排他制御の動作手順を示すフローチャート。
【符号の説明】
１…録画再生装置
２…放送局
３…モニタ
４…リモートコントローラ
５…ネットワーク
６…コンピュータ
１１…ＣＰＵ
１２…メモリ
１３…磁気ディスク装置
１４…画像圧縮装置
１５…チューナ
１６…アンテナ
１７…画像伸長装置
１８…表示装置
１９…受光部
２０…ネットワークインタフェース
【図１】
0003673226.tif 000002
【図２】
0003673226.tif 000003
【図３】
0003673226.tif 000004
【図４】
0003673226.tif 000005
【図５】
0003673226.tif 000006
【図６】
0003673226.tif 000007